(57)【特許請求の範囲】
【請求項１】
電子部品が収納されたユニットと、
前記ユニットに取り付けられるブラケットと、
前記ブラケットを取り付けた前記ユニットが取り付けられるベースシャーシと、
前記ブラケットに設けられ、前記ユニットを前記ベースシャーシに取り付けた状態で、前記ユニットと前記ベースシャーシとの間に形成される隙間に沿って並んで配置されて、前記ベースシャーシに弾性接触する複数の脚部と
を備え、
前記ユニットは、前記ベースシャーシに取り付けられた状態において、当該ベースシャーシとの間に前記隙間ができるように前記ブラケットに保持されるとともに、
前記隙間に沿って並んで配された当該ブラケットの複数の脚部が前記ベースシャーシに弾性接触することを特徴とするノイズ遮蔽構造。
【請求項２】
電子部品が収納されたユニットと、
前記ユニットの少なくとも一部を覆うように取り付けられるカバーシャーシと、
前記カバーシャーシを取り付けた前記ユニットが取り付けられるベースシャーシと、
前記カバーシャーシに設けられ、前記ユニットを前記ベースシャーシに取り付けた状態で、前記ユニットと前記ベースシャーシとの間に形成される隙間に沿って並んで配置されて、前記ベースシャーシに弾性接触する複数の脚部と
を備え、
前記ユニットは、少なくとも一部が前記カバーシャーシに覆われた状態で、前記ベースシャーシとの間に前記隙間ができるように前記ベースシャーシに取り付けられるとともに、
前記隙間に沿って並んで配された前記カバーシャーシの複数の脚部が当該ベースシャーシに弾性接触することを特徴とするノイズ遮蔽構造。
【請求項３】
前記脚部は、先端部が前記ベースシャーシに面接触する板ばね形状であることを特徴とする請求項１または請求項２に記載のノイズ遮蔽構造。
【請求項４】
前記脚部は、先端部が前記ベースシャーシに線接触または点接触する板ばね形状であることを特徴とする請求項１または請求項２に記載のノイズ遮蔽構造。
【請求項５】
前記複数の脚部の並びに沿って延びて当該並びの一端側からもう一端側を繋ぐ補強梁部を備えたことを特徴とする請求項１から請求項４のうちのいずれか１項記載のノイズ遮蔽構造。
【請求項６】
請求項１から請求項５のうちのいずれか１項記載のノイズ遮蔽構造を備えた電子機器。
【発明の詳細な説明】
【技術分野】
【０００１】
この発明は、電子部品から発生した電磁ノイズを遮蔽するノイズ遮蔽構造およびこれを備えた電子機器に関する。
【背景技術】
【０００２】
従来から、電磁ノイズの影響を低減させる様々な構造が提案されている。
例えば、特許文献１には、チューナのアース構造が記載されている。このアース構造において、チューナは、構成部品が金属製のケースに収納され、このケースの一側面から円筒形で金属製のスリーブが突き出した構造を有している。スリーブは、チューナのＲＦ（Ｒａｄｉｏ  Ｆｒｅｑｕｅｎｃｙ）端子として用いられる。また、スリーブには、可撓性の脚部を有したアースプレートが嵌合される。チューナが装着された回路基板を金属製のシャーシにビス止め固定すると、アースプレートが、スリーブに嵌合した状態でシャーシの表面にあてがわれ、その脚部がシャーシに弾性接触する。
【先行技術文献】
【特許文献】
【０００３】
【特許文献１】特開２００９−４９６２９号公報
【発明の概要】
【発明が解決しようとする課題】
【０００４】
しかしながら、特許文献１に記載されるアース構造におけるチューナは、前述のようにアースプレートを取り付けるためのスリーブが必要であり、構成部品が金属製のケースに収納されている必要がある。すなわち、特許文献１に記載されるアース構造は、このような構造のチューナに特化したものであり、これ以外の構造の電子部品には適用することができない。
【０００５】
また、電磁ノイズ対策が要求される部品は、上記チューナのような単一の部品の他に、複数の電子部品が収納されたユニットである場合も多い。
例えば、ディスク装置を構成するユニットとしてデッキメカ部がある。デッキメカ部のシャーシには、複数の電子部品を装着する回路基板、光ディスクを回転させる駆動機構、光ピックアップ、光ピックアップを駆動させる駆動機構などが収納されている。
このようなユニットには、アースプレートを取り付ける構成部材がなく、特許文献１に記載されるアース構造を適用することができない。
【０００６】
さらに、ユニットには、シャーシの内部が露出した部分を有するものがある。例えば、デッキメカ部には、シャーシの一部から駆動機構が外部に露出しているものがある。
このようなユニットにおいては、シャーシに収納された電子部品で発生した電磁ノイズが、露出部分から漏洩して他の電子部品に悪影響を与える可能性がある。
このため、上記露出部分から漏洩する電磁ノイズを適切に遮蔽することが可能なノイズ遮蔽構造が求められている。また、ノイズ遮蔽構造は、ノイズ遮蔽に特化した新たな部材を追加するのではなく、既存の部材を利用した構成であることが望ましい。
【０００７】
この発明は上記課題を解決するもので、ユニットから発生した電磁ノイズを適切に遮蔽することができるノイズ遮蔽構造およびこれを備えた電子機器を得ることを目的とする。
【課題を解決するための手段】
【０００８】
この発明に係るノイズ遮蔽構造は、電子部品が収納されたユニットと、ユニットに取り付けられるブラケットと、ブラケットを取り付けたユニットが取り付けられるベースシャーシとを備える。ブラケットには、ユニットをベースシャーシに取り付けた状態でユニットとベースシャーシとの間に形成される隙間に沿って並んで配置されて、ベースシャーシに弾性接触する複数の脚部が設けられる。ユニットは、ベースシャーシに取り付けられた状態において、ベースシャーシとの間に隙間ができるようにブラケットに保持されるとともに、隙間に沿って並んで配されたブラケットの複数の脚部がベースシャーシに弾性接触する。
【発明の効果】
【０００９】
この発明によれば、複数の脚部がユニットとベースシャーシとの間に形成される隙間に沿って並んで配置されてベースシャーシに弾性接触する。これにより、脚部がアース電位のベースシャーシに電気的に接続されて、ユニットから発生した電磁ノイズを上記隙間で適切に遮蔽することができる。また、導電性部材として既存の部材を利用した構成で実現することができる。
【図面の簡単な説明】
【００１０】
【図１】この発明の実施の形態１に係る電子機器を示す斜視図である。
【図２】図１の電子機器の各構成部品を示す分解斜視図である。
【図３】デッキメカ部のベースシャーシへの取り付け部分を示す拡大図である。
【図４】ブラケットおよび脚部の一例を示す斜視図である。
【図５】図４の脚部を示す拡大図である。
【図６】ブラケットおよび脚部の変形例を示す斜視図である。
【図７】図６の脚部を示す拡大図である。
【図８】ブラケットおよび脚部の別の変形例を示す斜視図である。
【図９】図８の脚部を示す拡大図である。
【図１０】補強梁部を設けたブラケットを示す斜視図である。
【図１１】補強梁部を設けたブラケットの脚部の変形例を示す斜視図である。
【図１２】この発明の実施の形態２に係る電子機器を示す斜視図である。
【発明を実施するための形態】
【００１１】
実施の形態１．
図１は、この発明の実施の形態１に係る電子機器を示す斜視図であり、実施の形態１に係るノイズ遮蔽構造を備えたディスク装置１を示している。図２は、図１のディスク装置１の各構成部品を示す分解斜視図である。図３は、デッキメカ部２のベースシャーシ３への取り付け部分を示す拡大図である。図４は、ブラケット４および脚部４Ａの一例を示す斜視図である。図５は、図４の脚部４Ａを示す拡大図である。
図１および図２に示すように、ディスク装置１は、デッキメカ部２、ベースシャーシ３およびブラケット４を備えており、ブラケット４を介してデッキメカ部２がベースシャーシ３に取り付けられて構成されている。
【００１２】
デッキメカ部２は、ディスク装置１を構成するユニットの１つであり、挿入口２Ａから挿入された光ディスクからの情報の読み出しと光ディスクへの情報の書き込みを行う。
その構成部品として、図示を省略したが、電子部品が装着された回路基板、光ディスクを回転させる駆動機構、光ピックアップ、光ピックアップを光ディスクの記録面に沿った方向と記録面に直交した方向に駆動させる駆動機構を備えている。
【００１３】
例えば、光ディスクを回転させる駆動機構には、ターンテーブルと、ターンテーブルに装着された光ディスクにクランパを当接させるクランプ部材も含まれる。
また、デッキメカ部２では、前述した構成部品が、上下に対をなす板金製のシャーシを組み合わせた空間内に収納されている。
【００１４】
なお、近年、ディスク装置１の小型化の要望が高まっており、これに伴ってデッキメカ部２も小型化される傾向にある。
デッキメカ部２が小型化されてデッキメカ部２のシャーシ壁面が駆動機構の近傍に位置すると、駆動機構の動きがシャーシ壁面によって制限される可能性がある。
例えば、シャーシ壁面がクランプ部材の近傍にある場合、光ディスクから離れる方向のクランプ部材の動きが、シャーシ壁面によって制限される可能性がある。また、ディスク装置１の軽量化、部品点数の削減を図る必要もある。これらの理由から、駆動機構の動作方向にシャーシ壁面を設けず、デッキメカ部２のシャーシから駆動機構を露出させている場合がある。以下、シャーシから駆動機構を露出させた露出部分を有するデッキメカ部２を例に挙げて説明する。
【００１５】
デッキメカ部２をベースシャーシ３に取り付けるときに、ベースシャーシ３で上記露出部分を塞ぐようにデッキメカ部２を配置すると、デッキメカ部２のシャーシ壁面の場合と同様に、駆動機構の動きがベースシャーシ３によって制限される可能性がある。
このため、デッキメカ部２は、上記露出部分がある面とベースシャーシ３の取り付け面との間に隙間を空けてベースシャーシ３に取り付けられる。
【００１６】
例えば、図２、図３に示すように、絞り形状のねじ台座３Ａをベースシャーシ３に形成し、デッキメカ部２に取り付けたブラケット４をねじ台座３Ａにねじ止め固定する。
これにより、図３に示すように、デッキメカ部２をベースシャーシ３に取り付けた状態で、デッキメカ部２における上記露出部分がある面とベースシャーシ３との間にねじ台座３Ａの高さＨ分の隙間が形成される。
【００１７】
ベースシャーシ３は、導電性かつ剛性を有した部材で構成されてデッキメカ部２を保持するシャーシであり、例えば、板金のプレス加工によって形成される。
なお、図１、図２において、ベースシャーシ３には、前述したねじ台座３Ａが絞り加工で形成されており、前方に壁部３Ｂ、後方に壁部３Ｃが形成されている。
デッキメカ部２は、図２に示すように、ベースシャーシ３の前方に挿入口２Ａを向けて取り付けられる。これにより、図３において鎖線で示すように挿入口２Ａから下方に壁部３Ｂが位置する。
【００１８】
また、ディスク装置１は、ベースシャーシ３を介して取り付け箇所に取り付けられる。
例えば、ディスク装置１が車載用ディスク装置である場合、ディスク装置１は、ベースシャーシ３を介して、ダッシュボード、センターコンソールなどに取り付けられる。
なお、ベースシャーシ３は、車両側に取り付けられた状態で車両側のアースと導通してアース電位となる。
【００１９】
ブラケット４は、この発明における導電性部材を具体化したものであり、ベースシャーシ３と同様に、導電性かつ剛性を有した部材で構成される。例えば、図３に示すように、板金を断面Ｌ字状に折り曲げて形成される。
ブラケット４において直交する一方の平面部がデッキ側固定部４−１であり、もう一方の平面部がシャーシ側固定部４−２である。デッキ側固定部４−１は、ねじ５を使用してデッキメカ部２の側面にねじ止め固定される。
【００２０】
シャーシ側固定部４−２はねじ６を使用してベースシャーシ３にねじ止め固定される。例えば、図２に示すように、シャーシ側固定部４−２の貫通穴７に通したねじ６を、ねじ台座３Ａのねじ穴８にねじ止めする。
なお、前述したように、ねじ台座３Ａは絞り形状であることから、ねじ６の先端部は、ねじ台座３Ａの裏側の凹部に収まってベースシャーシ３の下面から突出しない。
【００２１】
また、シャーシ側固定部４−２には、デッキメカ部２をベースシャーシ３に取り付けた状態で、ベースシャーシ３に弾性接触する複数の脚部４Ａが形成されている。
複数の脚部４Ａは、図４に示すようにシャーシ側固定部４−２の長手方向に沿って等間隔に並んで配置される。
【００２２】
なお、図１、図２に示すように、ブラケット４は、デッキメカ部２の側面に取り付けられる。ブラケット４を取り付けたデッキメカ部２をさらにベースシャーシ３に取り付けることで、複数の脚部４Ａは、ベースシャーシ３との間でデッキメカ部２の側方に形成された隙間に沿って並んで配置された状態となる。
【００２３】
また、個々の脚部４Ａは、図５に示すように傾斜部４Ａ−１と先端部４Ａ−２から構成されている。傾斜部４Ａ−１は、シャーシ側固定部４−２に繋がる脚部４Ａの基部と先端部４Ａ−２との間の部分であり、脚部４Ａの基部からデッキメカ部２における上記露出部分がある面から突出する方向に傾斜している。
先端部４Ａ−２は、デッキメカ部２をベースシャーシ３に取り付けた状態でベースシャーシ３に接触する部分となる。
【００２４】
傾斜部４Ａ−１は、例えば、シャーシ側固定部４−２を等間隔に切り欠いて得られる帯状の片部を、デッキメカ部２における上記露出部分がある面から突出する方向に折り曲げて形成される。
また、脚部４Ａの先端部４Ａ−２は、デッキメカ部２がベースシャーシ３に取り付けられた状態で、この先端部４Ａ−２がベースシャーシ３にほぼ面接触するような角度で折り曲げて形成される。
【００２５】
脚部４Ａは、図５に示したシャーシ側固定部４−２に繋がる脚部４Ａの基部から先端部４Ａ−２までの寸法Ｄが、デッキメカ部２をベースシャーシ３に取り付ける前の状態で、ねじ台座３Ａの高さＨよりも大きくなるように形成されている。
このように構成することで、デッキメカ部２をベースシャーシ３に取り付けたときに、傾斜部４Ａ−１が撓んだ状態となって、先端部４Ａ−２は、ベースシャーシ３に弾性接触する。このとき、先端部４Ａ−２は、ベースシャーシ３に面接触する。先端部４Ａ−２とベースシャーシ３との間の電気的な接続は、接触抵抗の小さい面接触によって安定する。
【００２６】
前述したように、デッキメカ部２をベースシャーシ３に取り付けた状態で、デッキメカ部２の上記露出部分がある面とベースシャーシ３との間には、ねじ台座３Ａの高さＨ分の隙間が形成されている。また、デッキメカ部２の内部には電子部品を装着した回路基板が収納されており、電子部品から発生した電磁ノイズは、上記露出部分からデッキメカ部２の外部に漏れる。
【００２７】
ただし、図１に示したように、デッキメカ部２をベースシャーシ３に取り付けた状態では、デッキメカ部２の前方にベースシャーシ３の壁部３Ｂが位置し、後方には壁部３Ｃが位置している。これにより、ベースシャーシ３との間に形成されたデッキメカ部２の前方の隙間では、アース電位の壁部３Ｂによって上記露出部分からの電磁ノイズが遮蔽され、後方の隙間では、アース電位の壁部３Ｃによって上記露出部分からの電磁ノイズが遮蔽される。
【００２８】
ベースシャーシ３との間でデッキメカ部２の側方に形成される隙間には、前述のように複数の脚部４Ａが当該隙間に沿って並んで配置されている。各脚部４Ａは、アース電位のベースシャーシ３に弾性接触して同電位となっている。これにより、デッキメカ部２の側方の隙間において、アース電位の複数の脚部４Ａによって上記露出部分からの電磁ノイズが遮蔽される。
【００２９】
なお、隣り合う脚部４Ａの間隔を狭くして個々の脚部４Ａの幅を広げると、個々の脚部４Ａの剛性が増加するため、デッキメカ部２をベースシャーシ３に取り付けた状態で、脚部４Ａがベースシャーシ３を押す力が強くなる。
また、隣り合う脚部４Ａの間隔を狭くして脚部４Ａの数を多くしても、複数の脚部４Ａ全体がベースシャーシ３を押す力が強くなる。
このように、脚部４Ａがベースシャーシ３を強く押した状態で接触すれば、脚部４Ａとベースシャーシ３との電気的な接続も安定する。
【００３０】
しかしながら、脚部４Ａの剛性が高く、この脚部４Ａがベースシャーシ３を押す力が強すぎると、脚部４Ａを介してベースシャーシ３からの反力が伝わってブラケット４が変形する可能性がある。
そこで、脚部４Ａの変形によるばね弾性力が、ブラケット４本体が変形するほど過度にかからない程度になるように個々の脚部４Ａの幅と脚部４Ａの数を調整する。
このようにすることで、脚部４Ａがベースシャーシ３に適度に付勢されるため、ブラケット４を変形させることなく、安定した電気的接続を実現できる。
【００３１】
なお、ベースシャーシ３に壁部３Ｂおよび壁部３Ｃを設けた場合を説明したが、本発明は、これらの壁部を有さないベースシャーシにも適用することができる。
例えば、デッキメカ部２のシャーシの前面側の部分を利用して、ベースシャーシ３との間に形成されたデッキメカ部２の前方の隙間に沿って複数の脚部を形成してもよい。
また、デッキメカ部２のシャーシの後面側の部分を利用して、後方の隙間に沿って複数の脚部を形成してもよい。
さらに、ブラケット４を、デッキメカ部２の前面側と後面側に延長した形状とし、この延長部分に複数の脚部を形成してもよい。
【００３２】
また、電磁ノイズを遮蔽する脚部は、下記のように構成してもよい。
図６は、ブラケットおよび脚部の変形例を示す斜視図である。図７は図６の脚部を示す拡大図である。図６に示すように、複数の脚部４Ｂはシャーシ側固定部４−２の長手方向に沿って等間隔に並んで配置される。また、図６においても、脚部４Ａの場合と同様に、ブラケット４は、デッキメカ部２の側面に取り付けられる。このようにブラケット４を取り付けたデッキメカ部２をさらにベースシャーシ３に取り付けることで、複数の脚部４Ｂは、ベースシャーシ３との間でデッキメカ部２の側方に形成された隙間に沿って並んで配置された状態となる。
【００３３】
個々の脚部４Ｂは、図７に示すように傾斜部４Ｂ−１と先端部４Ｂ−２から構成されている。傾斜部４Ｂ−１は、シャーシ側固定部４−２に繋がる脚部４Ｂの基部と先端部４Ｂ−２との間の部分であり、脚部４Ｂの基部からデッキメカ部２における上記露出部分がある面から突出する方向に傾斜している。先端部４Ｂ−２は、傾斜部４Ｂ−１から先の部分を断面形状が、傾斜部４Ｂ−１の傾斜方向とは反対方向に凸な曲線状となるように曲げて形成されている。
【００３４】
ブラケット４を介してデッキメカ部２をベースシャーシ３に取り付けると、傾斜部４Ｂ−１が撓んだ状態となって、先端部４Ｂ−２は、ベースシャーシ３に弾性接触する。このとき、先端部４Ｂ−２はベースシャーシ３に線接触する。
このように先端部４Ｂ−２をベースシャーシ３に線接触させても、脚部４Ｂとベースシャーシ３との電気的な接続を確保することができる。
【００３５】
図８は、ブラケットおよび脚部の別の変形例を示す斜視図である。図９は、図８の脚部を示す拡大図である。図８に示すように、複数の脚部４Ｃはシャーシ側固定部４−２の長手方向に沿って等間隔に並んで配置される。また、図８においても、脚部４Ａの場合と同様に、ブラケット４はデッキメカ部２の側面に取り付けられる。このようにブラケット４を取り付けたデッキメカ部２をさらにベースシャーシ３に取り付けることで、複数の脚部４Ｃは、ベースシャーシ３との間でデッキメカ部２の側方に形成された隙間に沿って並んで配置された状態となる。
【００３６】
個々の脚部４Ｃは、図９に示すように傾斜部４Ｃ−１から構成される。傾斜部４Ｃ−１は、シャーシ側固定部４−２に繋がる脚部４Ｃの基部からデッキメカ部２における上記露出部分がある面から突出する方向に傾斜している。
ブラケット４を介してデッキメカ部２をベースシャーシ３に取り付けると、傾斜部４Ｃ−１が撓んだ状態となって傾斜部４Ｃ−１の端辺部がベースシャーシ３に弾性接触する。
このように傾斜部４Ｃ−１の端辺部をベースシャーシ３に線接触させても、脚部４Ｂとベースシャーシ３との電気的な接続を確保することができる。
また、脚部４Ｃは、シャーシ側固定部４−２に形成した帯状の片部を折り曲げるだけの簡易な加工で形成することができる。
【００３７】
なお、例えば、先端部を半球状に形成することで、ベースシャーシ３に点接触する脚部を得ることができる。このように脚部の先端部をベースシャーシ３に点接触させても、脚部とベースシャーシ３との電気的な接続を確保することができる。
【００３８】
また、図１０は、補強梁部４Ｄを設けたブラケット４を示す斜視図である。
補強梁部４Ｄは、図１０に示すように、シャーシ側固定部４−２において、複数の脚部４Ａの並びに沿って延びて当該並びの一端側からもう一端側を繋ぐ部分である。この補強梁部４Ｄを設けることで、シャーシ側固定部４−２の強度の向上を図ることができる。
【００３９】
図１１は、補強梁部４Ｄを設けたブラケット４の脚部の変形例を示す斜視図である。
これまで説明した脚部４Ａ〜４Ｃは、シャーシ側固定部４−２を、デッキ側固定部４−１に至るまで切り欠かずに形成した帯状の片部から構成されている。すなわち、シャーシ側固定部４−２の強度は、切り欠きを浅くして残った部分で確保されていた。
【００４０】
これに対して、図１１に示すシャーシ側固定部４−２は、補強梁部４Ｄによって強度が確保される。このため、シャーシ側固定部４−２からデッキ側固定部４−１の一部まで切り欠いて形成した帯状の片部から脚部４Ｅを構成することができる。
脚部４Ｅは、このように構成されているので、図１１に示すように、デッキ側固定部４−１に繋がる基部から先の部分が脚部４Ａ〜４Ｃよりも長くなっている。
このように基部から先の部分を長くすることで、ばね弾性力の調整範囲を広げることができる。例えば、脚部をデッキメカ部２の仕様に応じたばね弾性力が得られる長さに調整することが可能となる。
【００４１】
以上のように、実施の形態１に係るノイズ遮蔽構造は、電子部品が収納されたデッキメカ部２と、デッキメカ部２に取り付けられるブラケット４と、ブラケット４を介してデッキメカ部２が取り付けられるベースシャーシ３とを備える。
ブラケット４には、デッキメカ部２をベースシャーシ３に取り付けた状態で、デッキメカ部２とベースシャーシ３との間に形成される隙間に沿って並んで配置されてベースシャーシ３に弾性接触する複数の脚部４Ａが設けられる。
このように構成することで、複数の脚部４Ａがデッキメカ部２とベースシャーシ３との間に形成される隙間に沿って並んで配置されてベースシャーシ３に弾性接触する。これにより、脚部４Ａがアース電位のベースシャーシ３に電気的に接続されて、デッキメカ部２から発生した電磁ノイズを上記隙間で適切に遮蔽することができる。また、導電性部材として既存の部材であるブラケット４を利用した構成で実現することができる。
【００４２】
また、実施の形態１に係るノイズ遮蔽構造において、脚部４Ａは、先端部がベースシャーシ３に面接触する板ばね形状である。
このように構成することで、接触抵抗が小さくなることから、先端部４Ａ−２とアース電位のベースシャーシ３との間の電気的な接続が安定する。
【００４３】
さらに、実施の形態１に係るノイズ遮蔽構造において、脚部４Ｂまたは脚部４Ｃは、先端部がベースシャーシ３に線接触する板ばね形状である。
このように構成することでも、脚部４Ｂとベースシャーシ３との電気的な接続を確保することができる。また、脚部をベースシャーシ３に点接触させても同様である。
【００４４】
さらに、実施の形態１に係るノイズ遮蔽構造は、複数の脚部４Ａの並びに沿って延びて当該並びの一端側からもう一端側を繋ぐ補強梁部４Ｄを備える。
このように構成することで、脚部４Ａを形成した導電性部材の強度の向上を図ることができる。
【００４５】
実施の形態２．
図１２は、この発明の実施の形態２に係る電子機器を示す斜視図であり、実施の形態２に係るノイズ遮蔽構造を備えたディスク装置１Ａを示している。
図１２に示すように、ディスク装置１Ａは、デッキメカ部２、ベースシャーシ３およびカバーシャーシ９を備えており、カバーシャーシ９を取り付けたデッキメカ部２がさらにベースシャーシ３に取り付けられた構成となっている。
【００４６】
カバーシャーシ９は、この発明における導電性部材を具体化したものであって、導電性かつ剛性を有した部材で構成される。例えば、板金のプレス加工によって形成される。
また、カバーシャーシ９は、デッキメカ部２の少なくとも一部を覆うように取り付けられる。例えば、図１２に示すカバーシャーシ９は前面と底面がない箱形状を有しており、デッキメカ部２における底面と前面を除いた部分を覆うように取り付けられる。
複数の脚部９Ａは、図１２に示すようにカバーシャーシ９の端辺に沿って等間隔に並んで配置される。デッキメカ部２をベースシャーシ３に取り付けると、複数の脚部９Ａは、デッキメカ部２とベースシャーシ３との間に形成された隙間に沿って並んで配置されて、ベースシャーシ３に弾性接触する。このようにしてカバーシャーシ９および脚部９Ａは、ベースシャーシ３と電気的に接続されてアース電位となる。
【００４７】
なお、図１２では、複数の脚部９Ａが、脚部４Ａと同様に、ベースシャーシ３に面接触する板ばね形状である場合を示したが、脚部４Ｂ，４Ｃと同様に、線接触する板ばね形状であってもよく、点接触する板ばね形状であってもよい。このように構成しても、実施の形態１と同様の効果を得ることができる。
【００４８】
また、図１２では、複数の脚部９Ａを、カバーシャーシ９における、デッキメカ部２の後面側に対応する部分に形成する場合を示したが、これに限定されるものではない。
例えば、デッキメカ部２とベースシャーシ３との間に形成される隙間に対向する部分であれば、カバーシャーシ９のどの部分に形成してもよい。
【００４９】
以上のように、実施の形態２に係るノイズ遮蔽構造は、電子部品が収納されたデッキメカ部２と、デッキメカ部２の少なくとも一部を覆うように取り付けられるカバーシャーシ９と、カバーシャーシ９に被覆されたデッキメカ部２が取り付けられるベースシャーシ３とを備える。カバーシャーシ９には、デッキメカ部２をベースシャーシ３に取り付けた状態で、デッキメカ部２とベースシャーシ３との間に形成される隙間に沿って並んで配置されてベースシャーシ３に弾性接触する複数の脚部９Ａが設けられる。
このように構成することで、複数の脚部９Ａが、デッキメカ部２とベースシャーシ３との間に形成される隙間に沿って並んで配置されてベースシャーシ３に弾性接触する。
これにより、脚部９Ａがアース電位のベースシャーシ３に電気的に接続されて上記隙間で電磁ノイズを適切に遮蔽することができる。また複数の脚部９Ａをカバーシャーシ９に設けた簡易な構成で実現することができる。
【００５０】
また、実施の形態１および実施の形態２で説明したノイズ遮蔽構造を電子機器が備えることで、電磁ノイズを適切に遮蔽することができる電子機器を提供することができる。
【００５１】
なお、本発明はその発明の範囲内において、各実施の形態の自由な組み合わせ、あるいは各実施の形態の任意の構成要素の変形、もしくは各実施の形態において任意の構成要素の省略が可能である。
【符号の説明】
【００５２】
１，１Ａ  ディスク装置、２  デッキメカ部、２Ａ  挿入口、３  ベースシャーシ、３Ａ  ねじ台座、３Ｂ，３Ｃ  壁部、４  ブラケット、４−１  デッキ側固定部、４−２  シャーシ側固定部、４Ａ〜４Ｃ，４Ｅ，９Ａ  脚部、４Ａ−１，４Ｂ−１，４Ｃ−１  傾斜部、４Ａ−２，４Ｂ−２  先端部、４Ｄ  補強梁部、５，６  ねじ、７  貫通穴、８  ねじ穴、９  カバーシャーシ。
【図１】
0006509105.tif 000002
【図２】
0006509105.tif 000003
【図３】
0006509105.tif 000004
【図４】
0006509105.tif 000005
【図５】
0006509105.tif 000006
【図６】
0006509105.tif 000007
【図７】
0006509105.tif 000008
【図８】
0006509105.tif 000009
【図９】
0006509105.tif 000010
【図１０】
0006509105.tif 000011
【図１１】
0006509105.tif 000012
【図１２】
0006509105.tif 000013